(57)【要約】【課題】  通常の携帯電話端末の無線方式の電波を使用できないエリアにおいても、自動的に携帯電話端末の相応の機能を活用する。【解決手段】  携帯電話端末１０３，１０４が、通常の携帯電話端末の無線方式の電波を使用できない医療機関１０１等に入場する際に、携帯電話端末１０３，１０４の通信モードが通信制御装置１０７によって切り替えられ、その後、当該携帯電話端末への着信があった際に、通信モードに応じたメッセージが交換機１０２から発信者へ送信され、通信制御装置１０８によって、切り替えられた通信モードにて着信情報が内部基地局を介して携帯電話端末１０３に送信またはメモリに格納され、携帯電話端末１０３，１０４が医療機関１０１から退場する際に、携帯電話端末１０３，１０４の通信モードが切り替えられ、メモリに格納された着信履歴が携帯電話端末１０４にて受信される。【選択図】図１
2006229703.tif 000002
【特許請求の範囲】
【請求項１】
携帯電話端末の通信モードの切替及び該携帯電話端末への着信を制御する携帯電話通信方法であって、
前記携帯電話端末が所定のエリアに入場する際に、前記携帯電話端末の通信モードを第１の通信モードから第２の通信モードに切り替える処理と、
前記携帯電話端末の通信モードを切り替えた後、前記携帯電話端末へ着信があった場合、着信情報及び前記着信のあった携帯電話端末の情報を前記携帯電話端末に送信する処理と、
送信された着信情報及び前記着信のあった携帯電話端末の情報について、前記第２の通信モードに応じて、通信方式を変換する処理と、
送信された着信情報及び前記着信のあった携帯電話端末の情報を前記第２の通信モードに応じて、メモリに格納する処理と、
前記携帯電話端末が前記エリアから退場する際に、前記携帯電話端末の通信モードを前記第２の通信モードから前記第１の通信モードに切り替える処理と、
前記携帯電話端末が前記エリアから退場する際に、前記メモリに格納された着信情報を前記携帯電話端末に送信する処理とを有する携帯電話通信方法。
【請求項２】
請求項１に記載の携帯電話通信方法において、
前記携帯電話端末の通信モードを切り替えた後、前記携帯電話端末へ着信があった場合、前記第２の通信モードに応じたメッセージを発信者へ送信する処理を有することを特徴とする携帯電話通信方法。
【請求項３】
請求項１または請求項２に記載の携帯電話通信方法において、
前記第２の通信モードは、Bluetooth機能を搭載している前記携帯電話端末についてはBluetooth通信方式を用いるBluetooth通信モードであり、また、Bluetooth機能を搭載していない前記携帯電話端末については前記携帯電話端末からの電波の発信を禁止するオフラインモードであることを特徴とする携帯電話通信方法。
【請求項４】
携帯電話端末の通信モードの切替及び該携帯電話端末への着信を制御する携帯電話通信システムであって、
前記携帯電話端末が使用する通信モードに設定され、前記携帯電話端末への着信があった場合、前記通信モードに応じて着信情報及び着信のあった携帯電話端末の情報を前記携帯電話端末側へ送信する交換機と、
前記交換機と前記携帯電話端末との間に設けられ、前記携帯電話端末が所定のエリアに入場する際に前記携帯電話端末の通信モードを第１の通信モードから第２の通信モードに切り替え、前記第２の通信モードへの切替を前記交換機へ要求する第１の通信制御装置と、
前記交換機と前記携帯電話端末との間に設けられ、前記第１の通信モードにおける通信方式と前記第２の通信モードにおける通信方式との変換を行い、前記交換機から送信された着信情報及び着信のあった携帯電話端末の情報を前記第２の通信モードに応じてメモリに格納または前記第２の通信モードにて前記携帯電話端末へ送信し、前記携帯電話端末が前記エリアから退場する際に、前記携帯電話端末の通信モードを前記第２の通信モードから前記第１の通信モードに切り替え、前記第１の通信モードへの切替を前記交換機へ要求し、前記メモリに格納された前記携帯電話端末への着信情報を前記携帯電話端末に送信する第２の通信制御装置と、
前記第２の通信モードにて前記第２の通信制御装置と前記携帯電話端末との通信を中継する内部基地局とを有する携帯電話通信システム。
【請求項５】
請求項４に記載の携帯電話通信システムにおいて、
前記交換機は、前記携帯電話端末への着信があった場合、前記第２の通信モードに応じたメッセージを発信者に送信することを特徴とする携帯電話通信システム。
【請求項６】
請求項４または請求項５に記載の携帯電話通信システムにおいて、
前記第２の通信制御装置は、
前記第１の通信モードにおける通信方式と前記第２の通信モードにおける通信方式との変換を行う通信方式変換手段と、
前記第２の通信モードにて通信を行う内部通信手段と、
前記第２の通信モードに応じて、前記交換機から送信された着信情報及び着信のあった携帯電話端末の情報が格納されるメモリと、
前記携帯電話端末が前記エリアから退場する際に前記携帯電話端末の通信モードを前記第１の通信モードに切り替える信号を生成するモード切替信号生成手段と、
前記モード切替信号生成手段によって生成された信号を一定周期で送信し、前記メモリに格納されている着信情報を前記携帯電話端末が前記エリアから退場する際に前記携帯電話端末に送信する携帯電話通信手段とを有することを特徴とする携帯電話通信システム。
【請求項７】
携帯電話端末の通信モードの切替及び該携帯電話端末への着信を制御する携帯電話通信システムであって、
前記携帯電話端末が使用する通信モードに設定され、前記通信モードに応じて着信情報及び着信のあった携帯電話端末の情報を前記携帯電話端末側へ送信する交換機と、
前記交換機と前記携帯電話端末との間に設けられ、前記携帯電話端末が所定のエリアに入場する際に前記携帯電話端末の通信モードを第１の通信モードから第２の通信モードに切り替え、前記第２の通信モードと同じ通信モードへの切替を前記交換機へ要求し、前記第１の通信モードにおける通信方式と前記第２の通信モードにおける通信方式との変換を行い、前記交換機から送信された着信情報及び着信のあった携帯電話端末の情報を前記第２の通信モードに応じて前記第２の通信モードにて前記携帯電話端末へ送信する第１の通信制御装置と、
前記交換機と前記携帯電話端末との間に設けられ、前記交換機から送信された着信情報及び着信のあった携帯電話端末の情報を前記第２の通信モードに応じてメモリに格納し、前記携帯電話端末が前記エリアから退場する際に、前記携帯電話端末の通信モードを前記第２の通信モードから前記第１の通信モードに切り替え、前記第１の通信モードへの切替を前記交換機へ要求し、前記メモリに格納された前記携帯電話端末への着信情報を前記携帯電話端末に送信する第２の通信制御装置と、
前記第２の通信モードにて前記第２の通信制御装置と前記携帯電話端末との通信を中継する内部基地局とを有する携帯電話通信システム。
【請求項８】
請求項７に記載の携帯電話通信システムにおいて、
前記交換機は、前記携帯電話端末への着信があった場合、前記第２の通信モードに応じたメッセージを発信者に送信することを特徴とする携帯電話通信システム。
【請求項９】
請求項７または請求項８に記載の携帯電話通信システムにおいて、
前記第１の通信制御装置は、
前記第１の通信モードにおける通信方式と前記第２の通信モードにおける通信方式との変換を行う通信方式変換手段と、
前記第２の通信モードにて通信を行う内部通信手段とを有することを特徴とする携帯電話通信システム。
【請求項１０】
請求項４乃至９のいずれか１項に記載の携帯電話通信システムにおいて、
前記第２の通信モードは、Bluetooth機能を搭載している前記携帯電話端末についてはBluetooth通信方式を用いるBluetooth通信モードであり、また、Bluetooth機能を搭載していない前記携帯電話端末については前記携帯電話端末からの電波の発信を禁止するオフラインモードであることを特徴とする携帯電話通信システム。
【請求項１１】
携帯電話端末を制御する通信制御装置であって、
第１の通信モードにおける通信方式と第２の通信モードにおける通信方式との変換を行う通信方式変換手段と、
前記第２の通信モードにて通信を行う内部通信手段と、
前記第２の通信モードに応じて、前記携帯電話端末への着信情報及び前記携帯電話端末の情報が格納されるメモリと、
前記携帯電話端末が所定のエリアから退場する際に前記携帯電話端末の通信モードを前記第１の通信モードに切り替える信号を生成するモード切替信号生成手段と、
前記モード切替信号生成手段によって生成された信号を一定周期で送信し、前記メモリに格納されている着信情報を前記携帯電話端末が前記エリアから退場する際に前記携帯電話端末に送信する携帯電話通信手段とを有する通信制御装置。
【請求項１２】
請求項１１に記載の通信制御装置において、
前記第２の通信モードは、Bluetooth機能を搭載している前記携帯電話端末についてはBluetooth通信方式を用いるBluetooth通信モードであり、また、Bluetooth機能を搭載していない前記携帯電話端末については前記携帯電話端末からの電波の発信を禁止するオフラインモードであることを特徴とする通信制御装置。
【請求項１３】
携帯電話端末を制御する通信制御装置であって、
第１の通信モードにおける通信方式と第２の通信モードにおける通信方式との変換を行う通信方式変換手段と、
前記第２の通信モードにて通信を行う内部通信手段とを有する通信制御装置。
【請求項１４】
請求項１３に記載の通信制御装置において、
前記第２の通信モードは、Bluetooth機能を搭載している前記携帯電話端末についてはBluetooth通信方式を用いるBluetooth通信モードであり、また、Bluetooth機能を搭載していない前記携帯電話端末については前記携帯電話端末からの電波の発信を禁止するオフラインモードであることを特徴とする通信制御装置。
【発明の詳細な説明】
【技術分野】
【０００１】
本発明は、携帯電話端末を用いて通信を行う携帯電話通信方法、携帯電話通信システム及び通信制御装置に関し、特に、携帯電話端末の無線通信が悪影響を及ぼす医療機関等における携帯電話通信方法、携帯電話通信システム及び通信制御装置に関する。
【背景技術】
【０００２】
近年、不特定の場所において、音声通話、電子メール及びデータ通信を行うために必需品となっている携帯電話端末においては、電源さえ投入されていれば電波の届かない場所での通信を除いて、携帯電話端末が有する機能を十分に活用することができる。
【０００３】
しかし、例えば、医療機関等においては、携帯電話端末の電波により医療機器への悪影響が考えられるため、携帯電話端末の電源を切断する必要がある。その場合、携帯電話端末の所有者が、医療機関に入場するときに携帯電話端末の電源を切断し、医療機関から退場するときに携帯電話端末の電源を投入することになる。
【０００４】
また、その場合、医療機関内にいるときは携帯電話端末の電源が切断されているため、その切断されている間の着信については、留守番電話サービス等の特別なサービスを受け、且つその発信者がメッセージを残しておかないと、着信があったことが着信者に認識されない。
【０００５】
また、電波を使用しないアプリケーションのみを使用（例えば、電話帳参照や時計参照）したいときには、電源を投入しなければならなく、電源を投入してしまうと医療機器への悪影響を及ぼす電波が放射されてしまう。
【０００６】
そこで、例えば、医療機器を誤動作させることが無い周波数の無線信号（Bluetooth）を用いて情報のやりとりを行い、やりとりされた情報が携帯電話端末を用いて電話網に送信されるシステムにおいて、携帯電話端末の所有者が医療機関内に入場するときには自動的に携帯電話端末の電源を切断し、電源が切断されている間は情報を携帯電話端末を用いて電話網に送信せず、携帯電話端末の所有者が医療機関から退場するときには自動的に携帯電話端末の電源を投入し、情報を携帯電話端末を用いて電話網へ送信する方法が考えられている（例えば、特許文献１参照。）。
【０００７】
また、携帯電話端末の所有者が医療機関内に入場するときには自動的に携帯電話端末の通信をＵＷＢ（Ultra Wide Band）通信技術を用いた通信に設定し、医療機関内ではＵＷＢ通信技術を用いて通信を行い、携帯電話端末の所有者が医療機関から退場するときには自動的に携帯電話端末の通信を通常の携帯電話端末通信に設定する方法が考えられている（例えば、特許文献２参照。）。
【特許文献１】特開２００２−２６１９５５号公報
【特許文献２】特開２００４−１３５２３５号公報
【発明の開示】
【発明が解決しようとする課題】
【０００８】
しかしながら、特許文献１に記載された方法においては、医療機関内にいるときは携帯電話端末の電源が切断されている状態であるため、その切断されている間の着信については着信者に認識されず、また、医療機関内にいる間は電波を使用しないアプリケーションまでもが使用できなくなってしまうという問題点がある。
【０００９】
また、特許文献２に記載された方法においては、ＵＷＢ機能を搭載していない携帯電話端末については、医療機関の入退場口において携帯電話端末の所有者により電源の切断／投入を行わなければならず、また、医療機関内にいるために切断された携帯電話端末への着信については認識されず、医療機関内にいる間は電波を使用しないアプリケーションまでもが使用できなくなってしまうという問題点がある。
【００１０】
本発明は、上述したような従来の技術が有する問題点に鑑みてなされたものであって、通常の携帯電話端末の無線方式の電波を使用できないエリアにおいても、自動的に携帯電話端末の相応の機能を活用することができる携帯電話通信方法、携帯電話通信システム及び通信制御装置を提供することを目的とする。
【課題を解決するための手段】
【００１１】
上記目的を達成するために本発明は、
携帯電話端末の通信モードの切替及び該携帯電話端末への着信を制御する携帯電話通信方法であって、
前記携帯電話端末が所定のエリアに入場する際に、前記携帯電話端末の通信モードを第１の通信モードから第２の通信モードに切り替える処理と、
前記携帯電話端末の通信モードを切り替えた後、前記携帯電話端末へ着信があった場合、着信情報及び前記着信のあった携帯電話端末の情報を前記携帯電話端末に送信する処理と、
送信された着信情報及び前記着信のあった携帯電話端末の情報について、前記第２の通信モードに応じて、通信方式を変換する処理と、
送信された着信情報及び前記着信のあった携帯電話端末の情報を前記第２の通信モードに応じて、メモリに格納する処理と、
前記携帯電話端末が前記エリアから退場する際に、前記携帯電話端末の通信モードを前記第２の通信モードから前記第１の通信モードに切り替える処理と、
前記携帯電話端末が前記エリアから退場する際に、前記メモリに格納された着信情報を前記携帯電話端末に送信する処理とを有する。
【００１２】
また、前記携帯電話端末の通信モードを切り替えた後、前記携帯電話端末へ着信があった場合、前記第２の通信モードに応じたメッセージを発信者へ送信する処理を有することを特徴とする。
【００１３】
また、前記第２の通信モードは、Bluetooth機能を搭載している前記携帯電話端末についてはBluetooth通信方式を用いるBluetooth通信モードであり、また、Bluetooth機能を搭載していない前記携帯電話端末については前記携帯電話端末からの電波の発信を禁止するオフラインモードであることを特徴とする。
【００１４】
また、携帯電話端末の通信モードの切替及び該携帯電話端末への着信を制御する携帯電話通信システムであって、
前記携帯電話端末が使用する通信モードに設定され、前記携帯電話端末への着信があった場合、前記通信モードに応じて着信情報及び着信のあった携帯電話端末の情報を前記携帯電話端末側へ送信する交換機と、
前記交換機と前記携帯電話端末との間に設けられ、前記携帯電話端末が所定のエリアに入場する際に前記携帯電話端末の通信モードを第１の通信モードから第２の通信モードに切り替え、前記第２の通信モードへの切替を前記交換機へ要求する第１の通信制御装置と、
前記交換機と前記携帯電話端末との間に設けられ、前記第１の通信モードにおける通信方式と前記第２の通信モードにおける通信方式との変換を行い、前記交換機から送信された着信情報及び着信のあった携帯電話端末の情報を前記第２の通信モードに応じてメモリに格納または前記第２の通信モードにて前記携帯電話端末へ送信し、前記携帯電話端末が前記エリアから退場する際に、前記携帯電話端末の通信モードを前記第２の通信モードから前記第１の通信モードに切り替え、前記第１の通信モードへの切替を前記交換機へ要求し、前記メモリに格納された前記携帯電話端末への着信情報を前記携帯電話端末に送信する第２の通信制御装置と、
前記第２の通信モードにて前記第２の通信制御装置と前記携帯電話端末との通信を中継する内部基地局とを有する。
【００１５】
また、前記交換機は、前記携帯電話端末への着信があった場合、前記第２の通信モードに応じたメッセージを発信者に送信することを特徴とする。
【００１６】
また、前記第２の通信制御装置は、
前記第１の通信モードにおける通信方式と前記第２の通信モードにおける通信方式との変換を行う通信方式変換手段と、
前記第２の通信モードにて通信を行う内部通信手段と、
前記第２の通信モードに応じて、前記交換機から送信された着信情報及び着信のあった携帯電話端末の情報が格納されるメモリと、
前記携帯電話端末が前記エリアから退場する際に前記携帯電話端末の通信モードを前記第１の通信モードに切り替える信号を生成するモード切替信号生成手段と、
前記モード切替信号生成手段によって生成された信号を一定周期で送信し、前記メモリに格納されている着信情報を前記携帯電話端末が前記エリアから退場する際に前記携帯電話端末に送信する携帯電話通信手段とを有することを特徴とする。
【００１７】
また、携帯電話端末の通信モードの切替及び該携帯電話端末への着信を制御する携帯電話通信システムであって、
前記携帯電話端末が使用する通信モードに設定され、前記通信モードに応じて着信情報及び着信のあった携帯電話端末の情報を前記携帯電話端末側へ送信する交換機と、
前記交換機と前記携帯電話端末との間に設けられ、前記携帯電話端末が所定のエリアに入場する際に前記携帯電話端末の通信モードを第１の通信モードから第２の通信モードに切り替え、前記第２の通信モードと同じ通信モードへの切替を前記交換機へ要求し、前記第１の通信モードにおける通信方式と前記第２の通信モードにおける通信方式との変換を行い、前記交換機から送信された着信情報及び着信のあった携帯電話端末の情報を前記第２の通信モードに応じて前記第２の通信モードにて前記携帯電話端末へ送信する第１の通信制御装置と、
前記交換機と前記携帯電話端末との間に設けられ、前記交換機から送信された着信情報及び着信のあった携帯電話端末の情報を前記第２の通信モードに応じてメモリに格納し、前記携帯電話端末が前記エリアから退場する際に、前記携帯電話端末の通信モードを前記第２の通信モードから前記第１の通信モードに切り替え、前記第１の通信モードへの切替を前記交換機へ要求し、前記メモリに格納された前記携帯電話端末への着信情報を前記携帯電話端末に送信する第２の通信制御装置と、
前記第２の通信モードにて前記第２の通信制御装置と前記携帯電話端末との通信を中継する内部基地局とを有する。
【００１８】
また、前記交換機は、前記携帯電話端末への着信があった場合、前記第２の通信モードに応じたメッセージを発信者に送信することを特徴とする。
【００１９】
また、前記第１の通信制御装置は、
前記第１の通信モードにおける通信方式と前記第２の通信モードにおける通信方式との変換を行う通信方式変換手段と、
前記第２の通信モードにて通信を行う内部通信手段とを有することを特徴とする。
【００２０】
また、前記第２の通信モードは、Bluetooth機能を搭載している前記携帯電話端末についてはBluetooth通信方式を用いるBluetooth通信モードであり、また、Bluetooth機能を搭載していない前記携帯電話端末については前記携帯電話端末からの電波の発信を禁止するオフラインモードであることを特徴とする。
【００２１】
また、携帯電話端末を制御する通信制御装置であって、
第１の通信モードにおける通信方式と第２の通信モードにおける通信方式との変換を行う通信方式変換手段と、
前記第２の通信モードにて通信を行う内部通信手段と、
前記第２の通信モードに応じて、前記携帯電話端末への着信情報及び前記携帯電話端末の情報が格納されるメモリと、
前記携帯電話端末が所定のエリアから退場する際に前記携帯電話端末の通信モードを前記第１の通信モードに切り替える信号を生成するモード切替信号生成手段と、
前記モード切替信号生成手段によって生成された信号を一定周期で送信し、前記メモリに格納されている着信情報を前記携帯電話端末が前記エリアから退場する際に前記携帯電話端末に送信する携帯電話通信手段とを有する。
【００２２】
また、前記第２の通信モードは、Bluetooth機能を搭載している前記携帯電話端末についてはBluetooth通信方式を用いるBluetooth通信モードであり、また、Bluetooth機能を搭載していない前記携帯電話端末については前記携帯電話端末からの電波の発信を禁止するオフラインモードであることを特徴とする。
【００２３】
また、携帯電話端末を制御する通信制御装置であって、
第１の通信モードにおける通信方式と第２の通信モードにおける通信方式との変換を行う通信方式変換手段と、
前記第２の通信モードにて通信を行う内部通信手段とを有する。
【００２４】
また、前記第２の通信モードは、Bluetooth機能を搭載している前記携帯電話端末についてはBluetooth通信方式を用いるBluetooth通信モードであり、また、Bluetooth機能を搭載していない前記携帯電話端末については前記携帯電話端末からの電波の発信を禁止するオフラインモードであることを特徴とする。
【００２５】
上記のように構成された本発明においては、携帯電話端末が所定のエリアに入場する際に、携帯電話端末の通信モードが第１の通信モードから第２の通信モードに切り替えられ、その後、当該携帯電話端末への着信があった場合、第２の通信モードにて着信情報が携帯電話端末に送信またはメモリに格納され、当該携帯電話端末が所定のエリアから退場する際に、当該携帯電話端末の通信モードが第２の通信モードから第１の通信モードに切り替えられ、メモリに格納された着信情報が当該携帯電話端末にて受信される。
【００２６】
これにより、携帯電話端末が通常の携帯電話端末の無線方式の電波を使用できないエリア等の所定のエリアに出入りする際に、適した通信モードに自動的に設定され、所定のエリア内においても電波を使用しないアプリケーションの使用が可能となり、また、所定のエリア内にいる場合にかかってきた外部からの着信についての着信情報を、その場あるいは所定のエリアから退場する際に得ることができる。
【発明の効果】
【００２７】
本発明は以上説明したように構成されているので、通常の携帯電話端末の無線方式の電波を使用できないエリアにおいても、自動的に携帯電話端末の相応の機能を活用することができる。
【発明を実施するための最良の形態】
【００２８】
以下に、本発明の実施の形態について図面を参照して説明する。
【００２９】
図１は、本発明の携帯電話通信システムの実施の一形態を示す図である。
【００３０】
本形態は図１に示すように、携帯電話端末使用禁止エリアである医療機関１０１に入場する者が所持する携帯電話端末１０３，１０４と、携帯電話端末１０３，１０４を所持した者が医療機関１０１の入場口１０５から入場するときに、携帯電話端末１０３，１０４の動作モードを切り替える第１の通信制御装置である通信制御装置１０７と、医療機関１０１内部において、携帯電話端末１０３がBluetooth機能を用いて通信を行う内部基地局１０９−１〜１０９−ｎと、携帯電話端末１０３，１０４を所持した者が医療機関１０１の退場口１０６から退場するときに、携帯電話端末１０３，１０４の動作モードを切り替える第２の通信制御装置である通信制御装置１０８と、通信制御装置１０７，１０８を介して携帯電話端末１０３，１０４の送受信信号の交換処理を行う交換機１０２とから構成されている。なお、携帯電話端末１０３は、Bluetooth機能を搭載した携帯電話端末であり、携帯電話端末１０４は、Bluetooth機能を搭載していない携帯電話端末とする。
【００３１】
図２は、図１に示した携帯電話通信システムにおける通信制御装置１０８の一構成例を示す図である。
【００３２】
図１に示した通信制御装置１０８は図２に示すように、交換機１０２及び携帯電話端末１０３，１０４との間において通常の携帯電話で使用される無線方式を用いて通信を行う携帯電話通信部２０１と、携帯電話端末１０３及び内部基地局１０９−１〜１０９−ｎとの間においてBluetooth方式を用いて通信を行う内部通信手段であるBluetooth通信部２０３と、携帯電話通信部２０１とBluetooth通信部２０３との通信方式の変換を行う通信方式変換部２０２と、携帯電話端末１０４が医療機関１０１内部に存在する場合の携帯電話端末１０４への着信情報を格納しておくメモリ２０４と、携帯電話端末１０３，１０４の動作モードを切り替える信号を生成するモード切替信号生成部２０５とから構成されている。
【００３３】
図３は、図１に示した携帯電話通信システムにおける携帯電話端末１０３の一構成例を示す図である。
【００３４】
図１に示した携帯電話端末１０３は図３に示すように、通常の携帯電話で使用される無線方式にて通信を行う携帯電話通信部３０１と、Bluetooth方式にて通信を行うBluetooth通信部３０２と、携帯電話通信部３０１とBluetooth通信部３０２とのいずれか一方の通信方式を選択する通信方式選択部３０３と、内部の処理を行う内部処理部３０４とから構成されている。
【００３５】
以下に、上記のように構成された携帯電話通信システムにおける携帯電話通信方法についてシーケンス図を参照して説明する。
【００３６】
まず最初に、携帯電話端末１０３，１０４を所持した者が医療機関１０１に入場する際の処理について説明する。
【００３７】
図４は、図１に示した携帯電話通信システムにおいて携帯電話端末１０３，１０４を所持した者が医療機関１０１に入場する際の処理を説明するためのシーケンス図である。
【００３８】
医療機関１０１の入場口１０５から携帯電話端末１０３，１０４を所持した者が入場すると、まず、医療機関１０１の入場口付近に設置された通信制御装置１０７から携帯電話端末１０３，１０４へ端末情報通知要求信号が送信される（ステップＳ１）。携帯電話端末１０３，１０４において端末情報通知要求信号が受信されると、携帯電話端末１０３，１０４の端末情報が携帯電話端末１０３，１０４から通信制御装置１０７へそれぞれ送信される（ステップＳ２）。なお、通信制御装置１０７から送信される端末情報通知要求信号については、指向性のアンテナ等を用いることにより、入場口１０５付近でのみ受信されるように送信される。また、携帯電話端末１０３，１０４から送信される端末情報とは、携帯電話端末１０３，１０４それぞれの電話番号、Bluetooth機能搭載状況等の情報である。
【００３９】
次に、通信制御装置１０７において、携帯電話端末１０３，１０４の端末情報に基づいて、切り替える通信モードが決定され、通信制御装置１０７から交換機１０２へ、携帯電話端末１０３，１０４の通信モード切替要求信号が送信される（ステップＳ３）。交換機１０２において、携帯電話端末１０３，１０４の通信モード切替要求信号が受信されると、交換機１０２における携帯電話端末１０３，１０４の通信モードが第１の通信モードである通常の携帯電話通信モードから第２の通信モードである医療機器へ悪影響を及ぼさない通信モードに切り替えられる（ステップＳ４）。ここで、携帯電話端末１０３については、Bluetooth機能が搭載されているため、通常の携帯電話通信モードからBluetooth通信モードへ切り替えられる。また、携帯電話端末１０４については、Bluetooth機能が搭載されていないため、通常の携帯電話通信モードからオフラインモードへ切り替えられる。
【００４０】
その後、交換機１０２における携帯電話端末１０３，１０４の通信モードが切り替えられた旨が交換機１０２から通信制御装置１０７へ送信され（ステップＳ５）、通信制御装置１０７にて受信されると、通信制御装置１０７から携帯電話端末１０３，１０４へ携帯電話端末１０３，１０４自身における通信モードの切替要求信号が送信される（ステップＳ６）。
【００４１】
すると、Bluetooth機能が搭載された携帯電話端末１０３においては、通信モードの切替要求信号が携帯電話通信部３０１を介して受信されると、通信方式選択部３０３によってBluetooth通信部３０２が選択され、通信モードの切替が行われる（ステップＳ７）。そして、内部処理部３０４によって、携帯電話端末１０３の画面上に携帯電話端末１０３の通信モードがBluetooth通信モードへ切り替わった旨が表示される（ステップＳ８）。
【００４２】
一方、Bluetooth機能が搭載されていない携帯電話端末１０４においては、通信モードの切替要求信号が受信されると、通常の携帯電話通信モードからオフラインモードへ切り替えられる。そして、携帯電話端末１０４の画面上に携帯電話端末１０４の通信モードがオフラインモードへ切り替わった旨が表示される。ここで、オフラインモードとは、携帯電話端末１０４から通常の携帯電話通信用の電波放出を禁止するモードである。
【００４３】
すると、携帯電話端末１０３，１０４において通信モードが切り替えられた旨が、携帯電話端末１０３，１０４から通信制御装置１０７へ送信され（ステップＳ９）、携帯電話端末１０３，１０４が医療機関１０１に入場する際の処理が終了する。
【００４４】
以下に、携帯電話端末１０３，１０４が医療機関１０１内に存在するときに、携帯電話端末１０３，１０４に外部からの着信があった際の処理について説明する。まずは、Bluetooth機能が搭載されている携帯電話端末１０３に着信があった場合について説明する。
【００４５】
図５は、図１に示した携帯電話通信システムにおける携帯電話端末１０３が医療機関１０１内に存在するときに、携帯電話端末１０３に外部からの着信があった際の処理を説明するためのシーケンス図である。
【００４６】
交換機１０２において、外部から携帯電話端末１０３への着信が認識されると（ステップＳ１１）、交換機１０２から発信者へメッセージが送信される（ステップＳ１２）。送信されるメッセージの内容は、携帯電話端末１０３が現在Bluetooth通信モードであるため、携帯電話端末１０３に対しては、発信者から着信があったことの通知のみ行い、接続することはできない旨を示す内容とする。
【００４７】
次に、交換機１０２において認識された発信者番号や着信時刻等の着信情報及び携帯電話端末１０３の情報が、交換機１０２から通信制御装置１０８へ送信される（ステップＳ１３）。交換機１０２から送信された着信情報及び携帯電話端末１０３の情報が通信制御装置１０８内の携帯電話通信部２０１にて受信されると、交換機１０２から送信された情報が通信制御装置１０８にて正常に受信された旨が交換機１０２へ送信される（ステップＳ１４）。また、通信制御装置１０８にて受信された着信情報及び携帯電話端末１０３の情報が、通信方式変換部２０２においてBluetooth方式に変換され、Bluetooth通信部２０３を介して、内部基地局１０９−１〜１０９−ｎへ送信される（ステップＳ１５）。
【００４８】
そして、着信情報及び携帯電話端末１０３の情報が受信された内部基地局１０９−１〜１０９−ｎにおいて、受信された着信履歴が携帯電話端末１０３へ送信される（ステップＳ１６）。
【００４９】
携帯電話端末１０３にて受信された着信情報は、携帯電話端末１０３内のBluetooth通信部３０２及び通信方式選択部３０３を介して、内部処理部３０４に入力され、内部処理部３０４によって、携帯電話端末１０３の画面上に着信情報が表示される（ステップＳ１７）。その後、着信情報が正常に携帯電話端末１０３に届いた旨が、携帯電話端末１０３から内部基地局１０９−１〜１０９−ｎへ送信され（ステップＳ１８）、その後、内部基地局１０９−１〜１０９−ｎから通信制御装置１０８へ送信される（ステップＳ１９）。これにより、携帯電話端末１０３が医療機関１０１内に存在するときに、携帯電話端末１０３に外部からの着信があった際の処理が終了する。
【００５０】
以下に、Bluetooth機能が搭載されていない携帯電話端末１０４に着信があった場合について説明する。
【００５１】
図６は、図１に示した携帯電話通信システムにおける携帯電話端末１０４が医療機関１０１内に存在するときに、携帯電話端末１０４に外部からの着信があった際の処理を説明するためのシーケンス図である。
【００５２】
交換機１０２において、外部から携帯電話端末１０４への着信が認識されると（ステップＳ２１）、交換機１０２から発信者へメッセージが送信される（ステップＳ２２）。送信されるメッセージの内容は、携帯電話端末１０４が現在オフラインモードであるため、接続することはできず、携帯電話端末１０４に対しては、発信者から着信があったことを後ほど通知する旨を示す内容とする。
【００５３】
次に、交換機１０２において認識された発信者番号や着信時刻等の着信情報及び携帯電話端末１０４の情報が、交換機１０２から通信制御装置１０８へ送信される（ステップＳ２３）。交換機１０２から送信された着信情報及び携帯電話端末１０４の情報が通信制御装置１０８内の携帯電話通信部２０１にて受信されると、受信された内容がメモリ２０４に格納される（ステップＳ２４）。そして、着信情報及び携帯電話端末１０４の情報が通信制御装置１０８にて正常に受信された旨が、通信制御装置１０８から交換機１０２へ送信される（ステップＳ２５）。これにより、携帯電話端末１０４が医療機関１０１内に存在するときに、携帯電話端末１０４に外部からの着信があった際の処理が終了する。
【００５４】
以下に、携帯電話端末１０３，１０４を所持した者が医療機関１０１から退場する際の処理について説明する。まずは、Bluetooth機能が搭載されている携帯電話端末１０３を所持した者が医療機関１０１から退場する場合について説明する。
【００５５】
図７は、図１に示した携帯電話通信システムにおける携帯電話端末１０３を所持した者が医療機関１０１から退場する際の処理を説明するためのシーケンス図である。
【００５６】
通信制御装置１０８内のモード切替信号生成部２０５においては、携帯電話端末１０３，１０４の通信モードを切り替える信号が生成され、携帯電話通信部２０１及びBluetooth通信部２０３を介して、一定の周期で送信されている（ステップＳ３１）。なお、通信制御装置１０８から送信される通信モード切替信号については、指向性のアンテナ等を用いることにより、退場口１０６付近でのみ受信されるように送信される。
【００５７】
携帯電話端末１０３を所持した者が退場口１０６に近づくと、通信制御装置１０８内のBluetooth通信部２０３から一定の周期で送信されている携帯電話端末１０３の通信モード切替信号が携帯電話端末１０３にて受信される。そして、通信モード切替信号が携帯電話端末１０３内のBluetooth通信部３０２にて受信されると、通信方式選択部３０３によって携帯電話通信部３０１が選択され、通信モードがBluetooth通信モードから通常の携帯電話通信モードへ切り替えられる（ステップＳ３２）。そして、通信モードが切り替えられた旨が、携帯電話端末１０３から通信制御装置１０８へ送信され（ステップＳ３３）、通信制御装置１０８から交換機１０２へ、交換機１０２における携帯電話端末１０３の通信モードの切替を行う切替要求信号が送信される（ステップＳ３４）。
【００５８】
交換機１０２において、通信モードの切替要求信号が受信されると、交換機１０２における携帯電話端末１０３の通信モードがBluetooth通信モードから通常の携帯電話通信モードへ切り替えられ（ステップＳ３５）、その後、外部から携帯電話機端末１０３への着信が認識されると、携帯電話端末１０３が現在Bluetooth通信モードであるために接続することはできない旨が交換機１０２から発信者へ送信されることなく、通常に携帯電話機端末１０３に接続される。
【００５９】
その後、交換機１０２から、交換機１０２における携帯電話端末１０３の通信モードが切り替えられた旨が通信制御装置１０８へ送信されると（ステップＳ３６）、通信制御装置１０８から携帯電話端末１０３へ通信モードの切替表示要求信号が送信される（ステップＳ３７）。
【００６０】
携帯電話端末１０３にて通信モードの切替表示要求信号が受信されると、内部処理部３０４によって携帯電話端末１０３の画面上に携帯電話端末１０３の通信モードが通常の携帯電話端末の通信モードへ切り替わった旨が表示される（ステップＳ３８）。すると、携帯電話端末１０３の画面上に通信モードが表示された旨が、携帯電話端末１０３から通信制御装置１０８へ送信され（ステップＳ３９）、これにより、携帯電話端末１０３が医療機関１０１から退場する際の処理が終了する。
【００６１】
以下に、Bluetooth機能が搭載されていない携帯電話端末１０４を所持した者が医療機関１０１から退場する場合について説明する。
【００６２】
図８は、図１に示した携帯電話通信システムにおける携帯電話端末１０４を所持した者が医療機関１０１から退場する際の処理を説明するためのシーケンス図である。
【００６３】
通信制御装置１０８内のモード切替信号生成部２０５においては、携帯電話端末１０３，１−４の通信モードを切り替える信号が生成され、携帯電話通信部２０１及びBluetooth通信部２０３を介して、一定の周期で送信されている（ステップＳ４１）。なお、通信制御装置１０８から送信される通信モード切替信号については、指向性のアンテナ等を用いることにより、退場口１０６付近でのみ受信されるように送信される。
【００６４】
携帯電話端末１０４を所持した者が退場口１０６に近づくと、通信制御装置１０８内の携帯電話通信部２０１から一定の周期で送信されている携帯電話端末１０４の通信モード切替信号が携帯電話端末１０４にて受信される。そして、携帯電話端末１０４において、通信モードがオフラインモードから通常の携帯電話通信モードへ切り替えられる（ステップＳ４２）。そして、通信モードが切り替えられた旨が、携帯電話端末１０４から通信制御装置１０８へ送信され（ステップＳ４３）、通信制御装置１０８から交換機１０２へ、交換機１０２における携帯電話端末１０４の通信モードの切替を行う切替要求信号が送信される（ステップＳ４４）。
【００６５】
交換機１０２において、通信モードの切替要求信号が受信されると、交換機１０２における携帯電話端末１０４の通信モードがオフラインモードから通常の携帯電話通信モードへ切り替えられ（ステップＳ４５）、その後、外部から携帯電話機端末１０４への着信が認識されると、携帯電話端末１０４が現在オフラインモードであるために接続することはできない旨が交換機１０２から発信者へ送信されることなく、通常に携帯電話機端末１０４に接続される。
【００６６】
その後、交換機１０２から、交換機１０２における携帯電話端末１０４の通信モードが切り替えられた旨が通信制御装置１０８へ送信されると（ステップＳ４６）、通信制御装置１０８から携帯電話端末１０４へ通信モードの切替表示要求信号が送信される（ステップＳ４７）。
【００６７】
携帯電話端末１０４にて通信モードの切替表示要求信号が受信されると、携帯電話端末１０４の画面上に携帯電話端末１０４の通信モードが通常の携帯電話端末の通信モードへ切り替わった旨が表示される（ステップＳ４８）。すると、携帯電話端末１０４の画面上に通信モードが表示された旨が、携帯電話端末１０４から通信制御装置１０８へ送信される（ステップＳ４９）。
【００６８】
通信制御装置１０８にて、携帯電話端末１０４にて通信モードの表示が行われた旨が受信されると、携帯電話端末１０４がオフラインモードであるときに携帯電話端末１０４へかかってきてメモリ２０４内に格納されている着信情報が、携帯電話端末１０４へ送信される（ステップＳ５０）。携帯電話端末１０４にて着信情報が受信されると、携帯電話端末１０４の画面上にその着信情報が表示される（ステップＳ５１）。すると、携帯電話端末１０４の画面上に着信情報が表示された旨が、携帯電話端末１０４から通信制御装置１０８へ送信され（ステップＳ５２）、これにより、携帯電話端末１０４が医療機関１０１から退場する際の処理が終了する。
【００６９】
なお、通信制御装置１０７に通信方式変換部２０２と、Bluetooth通信部２０３とを設けることにより、外部から携帯電話端末１０３へ着信があった着信情報が、通信制御装置１０７を介して携帯電話端末１０３へ送信されるものであっても良い。
【００７０】
また、携帯電話端末１０３，１０４を所持した者が医療機関１０１に入場してから、退場するまでの間は、携帯電話端末１０３，１０４の通信モードが手動によって切り替えられることは不可能とする。
【図面の簡単な説明】
【００７１】
【図１】本発明の携帯電話通信システムの実施の一形態を示す図である。
【図２】図１に示した携帯電話通信システムにおける通信制御装置の一構成例を示す図である。
【図３】図１に示した携帯電話通信システムにおけるBluetooth機能が搭載された携帯電話端末の一構成例を示す図である。
【図４】図１に示した携帯電話通信システムにおいて携帯電話端末を所持した者が医療機関に入場する際の処理を説明するためのシーケンス図である。
【図５】図１に示した携帯電話通信システムにおけるBluetooth機能が搭載された携帯電話端末が医療機関内に存在するときに、その携帯電話端末に外部からの着信があった際の処理を説明するためのシーケンス図である。
【図６】図１に示した携帯電話通信システムにおけるBluetooth機能が搭載されていない携帯電話端末が医療機関内に存在するときに、その携帯電話端末に外部からの着信があった際の処理を説明するためのシーケンス図である。
【図７】図１に示した携帯電話通信システムにおけるBluetooth機能が搭載された携帯電話端末を所持した者が医療機関から退場する際の処理を説明するためのシーケンス図である。
【図８】図１に示した携帯電話通信システムにおけるBluetooth機能が搭載されていない携帯電話端末を所持した者が医療機関から退場する際の処理を説明するためのシーケンス図である。
【符号の説明】
【００７２】
１０１    医療機関
１０２    交換機
１０３，１０４    携帯電話端末
１０５    入場口
１０６    退場口
１０７，１０８    通信制御装置
１０９−１〜１０９−ｎ    内部基地局
２０１，３０１    携帯電話通信部
２０２    通信方式変換部
２０３，３０２    Bluetooth通信部
２０４    メモリ
２０５    モード切替信号生成部
３０３    通信方式選択部
３０４    内部処理部
【図１】
2006229703.tif 000003
【図２】
2006229703.tif 000004
【図３】
2006229703.tif 000005
【図４】
2006229703.tif 000006
【図５】
2006229703.tif 000007
【図６】
2006229703.tif 000008
【図７】
2006229703.tif 000009
【図８】
2006229703.tif 000010